(57)【要約】【課題】同相のピン嵌合口間に短絡プラグを嵌挿するに際し、異相のピン嵌合口との嵌挿を阻止すること。【解決手段】複数相の回路における同相のピン嵌合口間に短絡プラグを嵌挿して導通させる遠隔操作型停解装置の端子本体１０において、前記複数相のうち異相のピン嵌合口（１６ａと１７ａ，１６ｂと１７ｂ）間に隔壁３０を立設する。【選択図】図１
2005135841.tif 000002
【特許請求の範囲】
【請求項１】
複数相の回路における同相のピン嵌合口間に短絡プラグを嵌挿して導通させる遠隔操作型停解装置において、
前記複数相のうち異相のピン嵌合口間には隔壁が立設されていることを特徴とする遠隔操作型停解装置の端子本体。
【発明の詳細な説明】
【技術分野】
【０００１】
本発明は、電力供給の停止と解除作業を行う為に取付けられる遠隔操作型停解装置、特にその端子構成に関する。
【背景技術】
【０００２】
通常遠隔操作型停解装置には、図９、図１０（図９のＸ−Ｘ線矢視図）、図１１（図１０のＹ方向矢視図）に示す通りの端子本体１０に同相の電源側並びに負荷側の各端子が設けられている。
【０００３】
そしてこの同相を表示するものとして相表示シール１４ａと１５ａ，１４ｂと１５ｂが貼付されている。又この相表示シール間には、上記電源側端子と接続したピン嵌合口１６ａが、同様に負荷側端子と接続したピン嵌合口１６ｂが設けられている。
【０００４】
この両ピン嵌合口に短絡プラグ（図１０参照）の各プラグピンを嵌挿することで同相の電源側と負荷側を短絡させることができる構成になっている。
すなわち、単相３線式の端子本体１０においては、別相の電源側端子と負荷側端子間を間違って短絡しない為の相表示シール１４ｂと１５ｂが貼付され、その間にそれぞれピン嵌合口１７ａ，１７ｂが設けられ、これらのピン嵌合口にも前記同様に短絡プラグのプラグピンが嵌挿されるものである。
【０００５】
上記の如く、短絡プラグを嵌挿又は取り外しすることで電源−負荷回路を短絡、バイパスさせる結果、無停遠隔操作状態で電気使用者に対する電力供給の停止若しくはその解除を行うことができるのである。
【発明の開示】
【発明が解決しようとする課題】
【０００６】
しかしながら、上述の端子本体１０においては、ピン嵌合口１６ａと１６ｂが成すピッチＬ1が異相のピン嵌合口１７ａ，１７ｂとの間隔Ｌ2が近似していると、短絡プラグのプラグピンが嵌合口１６ａと１６ｂに嵌合されることなく嵌合口１６ａと別相の嵌合口１７ａに嵌合されることが起り得る。同様に嵌合口１６ｂと別相の嵌合口１７ｂ間に亘り嵌挿されることも起る。
特に多少の寸法差（Ｌ1≒Ｌ2）をあったとしても作業員の押圧力により異相間のピン嵌合口間に圧挿されることがある。
【０００７】
すなわち異相嵌合口間でこの様な短絡プラグの誤嵌挿が生じると、電源−供給回路全体を短絡させて、通常の電気使用者の使用を停止（停電）させたり、場合によっては作業員の損傷を負わすことにもなりかねないものであった。
【課題を解決するための手段】
【０００８】
本発明は斯る課題を解決する為に成されたものであって、複数相のうち異相のピン嵌合口間に隔壁を立設することで異相間に亘る短絡プラグの嵌挿を構造的に防止することができる遠隔操作型停解装置の端子本体を提供する。
【発明の効果】
【０００９】
本発明の端子本体においては、その端子構造と設けた隔壁により異相間に亘る短絡プラグの誤嵌挿が防止される。
すなわち、異相のピン嵌合口間に短絡プラグのプラグピンが嵌挿される際に一対のプラグピン間に隔壁が配置された状態になり、その隔壁が構造的に各プラグピンは各ピン嵌合口に嵌挿されることを阻止するのである。
【発明を実施するための最良の形態】
【００１０】
本発明に係わる遠隔操作型停解装置、特にその端子本体について図例により説明する。
【００１１】
図１は、本発明の中枢を成す端子構造を説明する斜視図であり、図２は単相３線式の停解装置を中心にした全体の回路構成を示し、点線内は上記端子構造を示すものである。
又図３は上記端子構造を示す上面図、図４は図３のＸ−Ｘ線矢視断面図、図５は図４のＹ矢視図である。
【００１２】
端子本体１０は、ハウジングカバー１１にハウジングケース１２が設けられており、このハウジングケース１２内には同相の電源側端子１３ａと負荷側端子１３ｂが設けられている。
【００１３】
同相を示す表示例として、同色の相表示シール１４ａ、１５ａがハウジングケース１２の上面に貼付されている。
そしてシール１４，１５間には前記電源側端子１３ａに接続したピン嵌合口１６ａが、同様に負荷側端子１３ｂに接続したピン嵌合口１６ｂが設けられている。
両嵌合口１６ａと１６ｂ間には短絡プラグ２０Ａのプラグピン２１ａと２１ｂが夫々嵌挿されることで同相の電源側端子１３ａと負荷側端子１３ｂは導通する。
【００１４】
上記と同様にしてこれらの相と別相を示す相表示シール１４ｂと１５ｂが貼付され、その間にピン嵌合口１７ａと１７ｂが設けられている（図３参照）。
そしてこれら両嵌合口１７ａ，１７ｂにも短絡プラグ２０Ｂ（図６参照）のプラグピン２２ａ，２２ｂが嵌挿される。
【００１５】
斯るピン嵌合口間において、各異相の嵌合口を仕切る状態で隔壁３０が立設されている。この隔壁３０は必ずしも一枚の壁状のものに限定されず、嵌合口１６ａと１７ａとの間、並びに１６ｂと１７ｂとの間に夫々独立して存在するものであれば良く、各短絡プラグ２０Ａ，２０Ｂが異相のピン嵌合口（１６ａと１７ａ，１６ｂと１７ｂ）に亘って嵌挿されることを防ぐ構造のものであれば良い。
【００１６】
図６は同相のピン嵌合口１６ａ，１６ｂに短絡プラグ２０Ａのプラグピン２１ａ，２１ｂが同様にピン嵌合口１７ａ，１７ｂにプラグピン２２ａ，２２ｂが夫々嵌挿された状態を示す上面図であり、図７は図６のＸ−Ｘ線断面図、図８は図７のＹ方向矢視図である。
【００１７】
すなわち図２の回路図で示す如く、短絡プラグ２０Ａ，２０Ｂを各ピン嵌合口に嵌挿させない状態で停解体４０を断続することで電気使用者への電力供給を停止又はその解除が遠隔的に操作できる。
【図面の簡単な説明】
【００１８】
【図１】遠隔操作型停解装置を説明する斜視図である。
【図２】回路の模式図である。
【図３】装置の端子構造を説明する上面図である。
【図４】図３のＸ−Ｘ線断面図である。
【図５】図４のＹ方向矢視図である。
【図６】短絡プラグを嵌挿した状態を示す上面図である。
【図７】図６のＸ−Ｘ線断面図である。
【図８】図７のＹ方向矢視図である。
【図９】従来の端子構造を説明する上面図である。
【図１０】図９のＸ−Ｘ線断面図である。
【図１１】図１０のＹ方向矢視図である。
【符号の説明】
【００１９】
１０…端子本体、１６ａ，１６ｂ，１７ａ，１７ｂ…ピン嵌合口、２０Ａ，２０Ｂ…短絡プラグ、２１ａ，２１ｂ，２２ａ，２２ｂ…プラグピン、３０…隔壁、４０…停解体
【図１】
2005135841.tif 000003
【図２】
2005135841.tif 000004
【図３】
2005135841.tif 000005
【図４】
2005135841.tif 000006
【図５】
2005135841.tif 000007
【図６】
2005135841.tif 000008
【図７】
2005135841.tif 000009
【図８】
2005135841.tif 000010
【図９】
2005135841.tif 000011
【図１０】
2005135841.tif 000012
【図１１】
2005135841.tif 000013